Podtech/llm-jp-corpus-v4-ja_patent huggingface dataset:
(57)【要約】【課題】  本発明は葉書に文字を書くとき行や行間を揃えるための輪ゴムのガイド線を有る葉書手書き用行ガイド盤を提供する。【解決手段】  上下、および、左右の対辺に等間隔に異なった行幅を形成するガイド線となる輪ゴムを掛ける歯型の凸部を有する盤にあって、葉書を置く面に文字を書くときに、葉書が上下左右に動かないようにする十字型の落とし込みができる凹みを設けることを特徴とする葉書手書き用行ガイド盤。【選択図】図１
2018058322.tif 000002
【特許請求の範囲】
【請求項１】
向かい合った前後及び左右の対辺に各々異なる行幅で等間隔の行幅になるようガイドとなる輪ゴムを掛ける歯型の凸部を設けた盤上に、縦でも、横でも、葉書を置き文字を書くとき、動かないように固定するために、十字型の凹みを設け、落とし込みできることを特徴とする葉書手書き用行ガイド盤。
【請求項２】
凹みに落とし込んだ葉書を取り出すために輪ゴムガイド線の左右、上下端の外で葉書辺を指で突き出し、または、指掛けできる四角の穴を設けたことを特徴とする葉書手書き用行ガイド盤。
【発明の詳細な説明】
【技術分野】
【０００１】  本発明は、葉書に文字を書くとき、行や行間を揃えるための輪ゴムによるガイド線を形成し、葉書の辺に平行になるように、葉書の位置を固定できるように工夫した葉書手書き用行ガイド盤に関するものである。
【背景技術】
【０００２】  ガイド線を形成する糸やゴム糸や輪ゴムを掛けた枠を葉書の上に置き、ガイド線に沿って文字を書き込むものがあった（特許文献１）、（特許文献２）。【０００３】  上下にガイド線を形成する輪ゴムを掛けた金属板が付いた盤に置いた葉書を、磁性を有する抑え板で固定したり、Ｌ型の定規を置き、それに葉書をあてがい固定するものがあった（特許文献３）。【０００４】  行の間隔を変えるとき、ガイド線を作る輪ゴムを、掛け替えを設置された目盛にしたがい行うものがあった（特許文献２）、（特許文献３）。
【先行技術文献】
【特許文献】
【０００５】
【特許文献１】  実開平６−６４９８４号公報
【特許文献２】  登録実用新案第３０４６８９８号公報
【特許文献３】  特開２０１６−９７６７３号公報
【発明の概要】
【発明が解決しようとする課題】
【０００６】（イ）ガイド線を形成する糸やゴム糸、輪ゴムを掛けた枠を葉書の上に置き、ガイド線に    沿って文字を書き込むものでは、葉書に正しく置きずれないように常に枠を抑えてい    なければならなかった。
（ロ）前後にガイド線を形成する輪ゴムを掛けた金属板が付いた盤に置いた葉書を磁性を    有する抑え板で固定したり、Ｌ型の定規を置きそれに葉書をあてがい固定するもので    は、操作が複雑で構成部品も多く盤面も大きくなり高価格になっていた。
（ハ）ガイド線の間隔を変えるとき、輪ゴムを目盛の数を計算して間隔を作り、掛け替え    なければならなかった。
本発明はこれらの問題を解決するためになされたものである。
【課題を解決するための手段】
【０００７】  盤上の向かい合った、前後、および、左右の対辺に各々異なる行幅で等間隔の行幅になるようガイド線となる輪ゴムを掛ける歯型の凸部を設けた盤上に、縦でも、横でも、葉書を置き、文字を書くとき、動かないように固定するために葉書を落とし込みできる十字型の凹みを設ける。
以上を特徴とする葉書手書き用行ガイド盤である。
【発明の効果】
【０００８】（イ）ガイド線が輪ゴムのため葉書をガイド線が縦張りのときは、横から、横張のときは    、縦から盤の凹みに容易に落とし込め、前後、左右に動かなく盤を軽く押さえるだけ    で文字を書くことができる。
（ロ）前後、および、左右の対辺で２種の行幅のガイド線ができ、葉書を十字型の凹みに    縦と横に置けるため、葉書の縦に、縦書き、横書き、葉書の横に、横書き、縦書きと    合わせて、８種類の組み合わせができる。
輪ゴムを不等間隔や斜めに掛ければ、さらに多様なガイド線を作ることができる。
文章の始まりを揃えるために行に対して直角、または、斜めに掛けることもできる。
行間は、２種類であるが、行間の変更は行間の目盛の数字を計算することもなく、掛    け替えは輪ゴムでもあり、簡単にできる。
また、任意に輪ゴムの掛け位置を変え、幅を広くすれば、たとえば、葉書表の宛名書    きなどに供することができる。
【図面の簡単な説明】
【０００９】
【図１】  幅の広い凸部に輪ゴムを掛け葉書を縦に置いた本発明の斜視図である。
【図２】  幅の狭い凸部に輪ゴムを掛け葉書を縦に置いた本発明の斜視図である。
【図３】  幅を揃えないで、凸部に輪ゴムを掛け葉書を縦に置いた本発明の斜視図である。
【図４】  凸部と掛けられた輪ゴム、凹部と置かれた葉書の部分の本発明の断面図である。
【発明を実施するための形態】
【００１０】  以下本発明の実施の形態について説明する。
【００１１】  ガイド線となるように葉書の縦方向の長さより少し長い約１５５ミリメートルの樹脂製の正方形の盤（１）に輪ゴムを掛けるため、一方の対辺に各々所定の歯型の幅と高さ約３．５ミリメートルの凸部（２）と、他の対辺に各々に前記歯型より幅の狭い同じ高さの凸部（３）を設け、輪ゴム（４）を各々の端を上方より引っ掛けるように装着する。
凸部の厚みは輪ゴムを掛け、盤を台に置いたとき輪ゴムが台に触れないように設定する。各々の凸部は輪ゴム１個につき２本のガイド線を作るがガイド線が等間隔になるよう配置する。
【００１２】  盤（１）の上面の中心に葉書（５）を縦に置いても、横に置いても、位置がずれないように、十字型の深さ約０．７ミリメートルの葉書の大きさに合う凹部（６）を設ける。
葉書は輪ゴムでできたガイド線の端から下に潜り込ませ滑らしながら凹部（６）に落とし込む。
【００１３】  葉書（５）を凹部（６）から容易に取り出すために凹部（６）と輪ゴムで挟まれた位置で、盤面凹部（６）に葉書の端から約３ミリメートル内側になるような指が通る程度の４角の貫通穴（７）を各角４箇所に設ける。
４角の穴に指を入れ葉書の端を持ち上げ摘まみ外側に滑らしながら取り出す。
【００１４】  葉書手書き用ガイド盤は、薄く、軽く、小さいのでプレゼント用などに定形外の郵便物として送ることができる。
付属品として切手貼りや宛名が書けるシールのついた透明の袋を作る。
葉書の大きさで裏面に葉書手書き用ガイド盤の取り扱い説明書が印刷された紙にガイド線を使い、手紙文を書き、取り出さずそのまま袋に入れ投函する。
【符号の説明】
【０００１５】１  盤
２  幅の広い凸部
３  幅の狭い凸部
４  輪ゴム
５  葉書
６  凹部
７  穴
【図１】
2018058322.tif 000003
【図２】
2018058322.tif 000004
【図３】
2018058322.tif 000005
【図４】
2018058322.tif 000006
(57)【要約】      （修正有）【課題】週単位、月単位、年単位のスケジュールを可視化することによって、計画的に生活をすることができるスケジュール帳を提供する。【解決手段】月単位の１年間用スケジュール帳がほとんどで年間単位のスケジュール帳が少なかった為、学生等を対象に５年用スケジュール帳を考案しました。１０年は長いと感じ躊躇する方に、もっと気軽に利用できるようにしたかったからです。長期間の計画を立てられるとともにスケジュール帳を見るだけで過去何をしていたか、何を計画していたかなど、容易にチェックもできるようになります。過去の経験を未来に役立てるように５年、１０年と長い計画を立てるときに使って欲しいです。また、毎年スケジュール帳を購入する手間も省くことができるようになり経済的でもあります。【選択図】なし【特許請求の範囲】
【請求項１】
５年計画ノートを通して日毎、１週間、月単位、１年単位、５年と計画や目標をたてて人生設計を立て、目標を達成することに役立てることができるように書面でイメージし具体化する。
【請求項２】
１年単位のスケジュール帳で年間の計画をたて、またその計画が上手くいったかどうかをチェックすることができる。
【請求項３】
１年間から最長５年間、自分の予定する年間のスケジュール帳で年間の計画をたてることができる。またその計画が上手くいったかどうかを振り返ることができる。
【請求項４】
５年単位のスケジュール帳で年間の計画をたて、またその計画が上手くいったかどうかをチェックすることができる。
【発明の詳細な説明】
【技能分野】
【００１】  本発明は、長い期間のスケジュールをたてることを第一目標とした。そしてそのスケジュールをたてるとともに、計画が遂行できるように過去を容易に見直すことができるように可視化できるようにした。
【背景技術】
【００２】  従来のスケジュール帳には、週間、月間、年間のスケジュール、カレンダーを施したものがある（例えば、特許文献１参照）。
【先行技術文献】
【特許文献】
【００３】
【特許文献１】実登３１８３３８７
【非特許文献】
【００４】
【非特許文献１】ダイゴー株式会社  ２０１７年手帳オンラインショップ
【発明の概要】
【発明が解決しようとする課題】
【００５】  以上に述べた従来のスケジュール帳は、週間、月間、１年間単位でありスケジュール帳を毎年新たに購入しなければならなかった。毎年新たなスケジュール帳を購入するため、過去の出来事を見直すことに手間がかかるところににも課題があった。
【課題を解決するための手段】  本発明は、このような従来のスケジュール帳が有していた問題を解決しようとするものであり、何年も先の予定や、長期間の予定をたてることができるスケジュール帳である。毎年スケジュール帳を購入することを省くこともできる。過去のできごとなど容易に可視化できるようになる。
また、現在出願中の整理番号１９７１０６０８が１０年用スケジュールに対して、今回は５年用スケジュールとし、学生等を対象とし学校生活や受験などに対応しやすくなっている。
【発明の効果】  日々の計画から、年間を通してのスケジュールを立てることにより、毎日を目標をもって過ごすことができるようになる。長い年間を通しての計画をたてやすくし直近の過去や直近の未来計画を立てることを容易にすることができる。長い人生に必要な計画をするノートであり、人生の目的、ゴールを達成するために役立つものでもある。
【図面の簡単な説明】
【００６】
【図１】本件発明５年用概略図
【図２】本件発明１年間概略図
【図３】月間概略図
【図４】週間概略図
【発明を実施するための形態】
【００７】    以下、本発明の実施の形態を図１〜４に基づいて説明する。
【００８】図１においては５年間の予定を立てることができる。例えば来年は高校を卒業する。
その後は大学進学、もしくは就職、海外留学などの計画、予定を立てることができる。社会人においては、長期間かかる仕事の進行状況、完成時期、予定などを長い期間でたてることができる。
【００９】図２はその年の年間の予定を立てることができる。１年間の予定をたてることによ毎日を無駄なく計画的に過ごすことができる。
【０１０】図３は月間の計画を立てるのに使用する
【０１１】図４は週間、毎日の計画をたてるのに使用する
【符号の説明】
【０１２】Ａ  ページを幅広く利用することによって書き込みがしやすくなる
Ｂ  ページを幅広く利用することによって書き込みがしやすく見やすくなる
【図１】
2018058321.tif 000002
【図２】
2018058321.tif 000003
【図３】
2018058321.tif 000004
【図４】
2018058321.tif 000005
(57)【要約】      （修正有）【課題】自動車の運転中あるいは停車中に緊急事態が生じた場合に、それが命にかかわるものなのか、単なる停止表示なのか、その緊急性が判定できる装置を提供する。【解決手段】自動車室内に設置された専用の緊急ボタン１を押すことにより、車体外部に設置された警告灯２が赤色点滅し、なおかつ警報ブザーが鳴ることにより、付近を走行中の運転者や外部の通行人等に知らせることが出来る。【選択図】図１
2018058522.tif 000002
【特許請求の範囲】
【請求項１】
自動車運転中あるいは停車中に緊急事態が生じたことを外部の人に知らせることを特徴とする装置。
【請求項２】
自動車運転中あるいは停車中に緊急事態が生じたことを車外の警告灯が赤色点滅することで外部の人に知らせることを特徴とする請求事項１の装置。
【請求項３】
自動車車体外部のアンテナに設置され、通常時は青色で常時発光し、緊急時には赤色点滅することを特徴とする請求事項１の装置。
【請求項４】
緊急時に警報ブザーが鳴ることを特徴とする請求事項１の装置。
【請求項５】
自動車室内に設置された緊急用ボタンは一度押すと。容易に解除出来ないことを特徴とする請求事項１の装置。
【発明の詳細な説明】
【技術分野】
【０００１】
本発明は、自動車運転時に、車内で緊急事態が生じた場合、車内に設置した緊急用ボタンを押すことで自動車外部に設置した専用の警告灯が激しく点滅することにより外部の人に知らせることのできる装置に関するものである。
【背景技術】
【０００２】
従来、自動車を運転中に、運転者あるいは同乗者に緊急事態が生じた場合、路肩に停止するか、携帯電話で関係者、警察等に連絡することが通常である。しかし、運転者本人にそれが容易に出来ない場合がある。また、突然、自動車に無理やり引き込まれた場合などは、その手段がない。
【先行技術文献】
【特許文献】
【０００３】
なし
【非特許文献】
【０００４】
なし
【発明の概要】
【発明が解決しようとする課題】
【０００５】
以上述べた従来の方法では、自動車運転中あるいは停車中に緊急事態が生じた場合は、それが命にかかわるものなのか、単なる停止の意思表示なのか判断できなかった。そこでこの発明は、その緊急を要し、かつ命のかかわるものであることを外部に知らせることの出来るものを提供することを課題とする。
【課題を解決するための手段】
【０００６】
以上の課題を解決するために、第一発明は、車内に設置された緊急用ボタンを押すことで車外の専用警告灯が激しく点滅して、他車の運転者や通行人等に知らせることが出来ることを目的とするものである。
【発明の効果】
【０００７】
本発明の装置は、自動車の運転中、あるいは停車中を問わず、緊急事態が生じた場合に、車外の走行中の自動車運転手あるいは通行人等に知らせることの出来る利点がある
【図面の簡単な説明】
【０００８】
【図１】図１はこの装置の実施方法を示した斜視図である。
【図２】図２はこの装置の実施方法を示した模式図である。
【発明を実施するための形態】
【０００９】
この発明の一実施形態を、図１に示す。自動車室内に設置した緊急用ボタン１を押すと、通常は青色点灯している外部に設置した警告灯２が赤色点滅を繰り返す。
【実施例】
【００１０】
図１の実施形態は、自動車室内に設置された緊急用ボタンを押すと、車外の警告灯が赤色点滅するが、それに加えて警報ブザーが鳴る。図２の実施形態は、自動車車体に設置された警告灯の模式図である。
【符号の説明】
【００１１】
１    緊急用ボタン
２    警告灯
３    自動車車体
【図１】
2018058522.tif 000003
【図２】
2018058522.tif 000004
(57)【要約】【課題】手帳等に挟むときにかさばらないボールペンを実現することを課題とする。【解決手段】横断面の形が正三角形である細長い筒で1つの端が閉じられたものを６本、その長手方向の稜線が互いに隣接し、他の筒の稜線に隣接しない稜線が同じ側に来るように、横に並べて保持する仕組みを有し、前記他の筒の稜線に隣接しない稜線を１か所にまとめて固定する仕組みを有し、前記筒にボールペンの芯を挿入する、構成とした。【選択図】図１
2018058226.tif 000002
【特許請求の範囲】
【請求項１】
横断面の形が正三角形である細長い筒で1つの端が閉じられたものを６本、その長手方向の稜線が互いに隣接し、他の筒の稜線に隣接しない稜線が同じ側に来るように、横に並べて保持する仕組みを有し、
前記他の筒の稜線に隣接しない稜線を１か所にまとめて固定する仕組みを有し、
前記筒にボールペンの芯を挿入する、
ボールペン。
【請求項２】
６つの袋を横に並べて形成し、それぞれの袋に筒を収納する、請求項１に記載のボールペン。
【請求項３】
他の筒の稜線に隣接しない稜線を１か所にまとめて固定するために、面ファスナー又はマグネットシートを使用する、請求項１又は請求項２に記載のボールペン。
【請求項４】
６本の筒を蝶番で連結する、請求項１から請求項３までに記載のボールペン。
【請求項５】
横断面の形が正三角形の筒の代わりに、横断面が正三角形の１つの頂点をカットした台形である筒を使用する、請求項１から請求項４までに記載のボールペン。
【発明の詳細な説明】
【技術分野】
【０００１】
この発明は、使用しないときには平面状に展開でき、使用するときに棒状に丸めて把持するための軸を形成することができるボールペンに関する。
【背景技術】
【０００２】
通常のボールペンは、軸の中に芯があり、軸は把持しやすいように径が８ミリメートル程度はある。
【発明の概要】
【発明が解決しようとする課題】
【０００３】
多くのボールペンにはクリップが付いており、衣服のポケットに掛けることができるが、ポケットがない場合やポケットはあってもポケットに掛けたくない場合などに、手帳等に挟んで携帯することがあるが、厚みがありかさばってしまう。本発明は、手帳等に挟むときにかさばらないボールペンを実現することを課題とする。
【課題を解決するための手段】
【０００４】
本発明のボールペンは、横断面の形が正三角形である細長い筒で1つの端が閉じられたものを６本、その長手方向の稜線が互いに隣接し、他の筒の稜線に隣接しない稜線が同じ側に来るように、横に並べて保持する仕組みを有し、前記他の筒の稜線に隣接しない稜線を１か所にまとめて固定する仕組みを有し、前記筒にボールペンの芯を挿入する、構成とした。
【０００５】
筒を６本、その長手方向の稜線が互いに隣接し、他の筒の稜線に隣接しない稜線が同じ側に来るように、横に並べて保持する仕組みとしては、（ア）６つの袋を横に並べて形成し、それぞれの袋に筒を収納する方法、（イ）６本の筒を蝶番で連結する方法、が考えられる。
【０００６】
６本の筒をまとめて１本の軸にして固定する方法としては、面ファスナーやマグネットシートを使用する方法が考えられるが、そのほかにも輪ゴムを利用する方法など様々な方法が考えられる。
【０００７】
横断面の形が正三角形の筒の代わりに、横断面が正三角形の１つの頂点をカットした台形である筒を使用すれば、展開したときの厚さを小さくできる。
【発明の効果】
【０００８】
本発明のボールペンを展開したときには、その厚さは丸めたときの２分の１程度又はそれ以下になり、手帳のコーナーポケット等に挟んで携帯しやすい。
【０００９】
一般的な多色ボールペンの場合、軸の径が大きくなりがちであるが、本発明のボールペンは展開したときの厚さはそのままで最大６色又は６種の芯を同時に使用することができる。
なお、６本の筒にすべて芯を挿入した場合には、芯と芯との間隔が狭くなり使いにくいことも考えられるので１つおきに３本の芯を挿入して使用することもできる。
【図面の簡単な説明】
【００１０】
【図１】本発明のボールペンの第１の形態の丸めた状態の斜視図である。
【図２】本発明のボールペンの第１の形態の丸めた状態の平面図である。
【図３】本発明のボールペンの第１の形態の展開した状態の平面図である。
【図４】本発明のボールペンの第１の形態の三角筒の縦断面図である。
【図５】本発明のボールペンの第２の形態の筒の平面図である。
【図６】本発明のボールペンの第３の形態の展開した状態の平面図である。
【図７】本発明のボールペンの第３の形態の丸めた状態の平面図である。
【発明を実施するための形態】
【００１１】
以下、本発明の実施の形態を図１から図７までに基づいて説明する。
【００１２】
三角筒２及び台形筒２ａの材質は、金属又は剛性のある合成樹脂が適している。
【００１３】
筒ホルダー３は薄くて丈夫であることが望ましく、その材質は、布、合成樹脂など柔軟性があるものが適している。
【００１４】
芯のインク充填部は、三角筒２又は台形筒２ａに容易に挿入でき、かつ、不用意に脱落しないよう、材質は多少変形できる柔軟性を有する合成樹脂が適している。
【符号の説明】
【００１５】
１    本発明のボールペン
２    三角筒
２ａ  台形筒
３    筒ホルダー
４    芯
５    面ファスナー（ループ若しくはフック）又はマグネットシート
６    面ファスナー（フック若しくはループ）又はマグネットシート
７    蝶番
８    巻き付け固定部材
【図１】
2018058226.tif 000003
【図２】
2018058226.tif 000004
【図３】
2018058226.tif 000005
【図４】
2018058226.tif 000006
【図５】
2018058226.tif 000007
【図６】
2018058226.tif 000008
【図７】
2018058226.tif 000009
(57)【要約】 【課題】 本発明は、レーザ発振器に付加されるビーム整形器を発振部用容器の近くに配置した場合にも、発振部用容器の熱膨張の影響を防ぐようにすることを目的とする。【解決手段】   レーザ発振を行うための容器が長手方向の周囲に有する第一の平面部には前記容器を支持する基台に対して固定する第一の固定部分と前記長手方向への移動を許す第一の非固定部分が、前記容器が前記長手方向の周囲に有する第二の平面部にはビーム整形器の構成部品が搭載される整形器用基板に対して固定する第二の固定部分と前記長手方向への移動を許す第二の非固定部分がそれぞれ設けられていることを特徴とする。【選択図】図１
2018073926.tif 000002
【特許請求の範囲】
【請求項１】
レーザ発振を行うための容器と当該容器を支持する基台と前記容器から出射されたレーザビームを整形するためのビーム整形器とを備えるレーザ発振器において、前記容器が前記長手方向の周囲に有する第一の平面部には前記基台に対して固定する第一の固定部分と前記長手方向への移動を許す第一の非固定部分が、前記容器が前記長手方向の周囲に有する第二の平面部には前記ビーム整形器の構成部品が搭載される整形器用基板に対して固定する第二の固定部分と前記長手方向への移動を許す第二の非固定部分がそれぞれ設けられていることを特徴とするレーザ発振器。
【請求項２】
請求項１に記載のレーザ発振器において、前記第一平面部と前記第二平面部は前記周囲において互いに対抗する位置にあることを特徴とするレーザ発振器。
【請求項３】
請求項１または２に記載のレーザ発振器において、前記第一非固定部分と前記第二非固定部分とは同じ構造であることを特徴とするレーザ発振器。
【発明の詳細な説明】
【技術分野】
【０００１】
本発明は、プリント基板のような被加工物に穴あけ等を行うためのレーザビームを発生するためのレーザ発振器に関する。
【背景技術】
【０００２】
レーザ発振器においては、プラズマ放電を行わせるための電極等が筒状の発振部用容器に収容されており、例えば、特許文献１にこのレーザ発振器の構造が開示されている。
一方、レーザ発振器においては、レーザ発振器から出射されたレーザビームを整形するためのビーム整形器が設けられるが、プラズマ放電に伴う熱は発振器の温度を上昇させて上記発振部用容器を膨張させるが、ビーム整形器を発振部用容器の近くに取付けると、ビーム整形器が発振部用容器の熱膨張の影響を受け、レーザビームが光学系の光軸から外れてレーザビームの位置が変動してしまうという問題点がある。
この問題を解決するため、ビーム整形器を発振部用容器から遠ざけて配置することによって、発振部用容器の熱膨張の影響を防ぐようにする方法もあるが、この方法だと、レーザ発振器がコンパクトにならない。
【先行技術文献】
【特許文献】
【０００３】
【特許文献１】特開２００２−９４１４７号公報
【発明の概要】
【発明が解決しようとする課題】
【０００４】
そこで、本発明は、レーザ発振器に付加されるビーム整形器を発振部用容器の近くに配置した場合にも、発振部用容器の熱膨張の影響を防ぐようにすることを目的とするものである。
【課題を解決するための手段】
【０００５】
本願において開示される代表的なレーザ発振器は、レーザ発振を行うための容器と当該容器を支持する基台と前記容器から出射されたレーザビームを整形するためのビーム整形器とを備えるレーザ発振器において、前記容器が前記長手方向の周囲に有する第一の平面部には前記基台に対して固定する第一の固定部分と前記長手方向への移動を許す第一の非固定部分が、前記容器が前記長手方向の周囲に有する第二の平面部には前記ビーム整形器の構成部品が搭載される整形器用基板に対して固定する第二の固定部分と前記長手方向への移動を許す第二の非固定部分がそれぞれ設けられていることを特徴とする。
【発明の効果】
【０００６】
本発明によれば、レーザ発振器に付加されるビーム整形器を発振部用容器の近くに配置した場合にも、発振部用容器の熱膨張の影響を防ぐことが可能となる。
【図面の簡単な説明】
【０００７】
【図１】本発明の一実施例となるレーザ発振器の長手方向断面図である。
【図２】図１のＡ−Ａ断面図である。
【発明を実施するための形態】
【実施例】
【０００８】
本発明の一実施例について説明する。図１は本発明の一実施例となるレーザ発振器の長手方向断面図である。図１において、１はプラズマ放電を行わせるための電極や反射鏡等を収容するとともに媒質ガスを封入する四角柱形状の発振部用容器である。発振部用容器１の長手方向の周囲にある四面のうちの下面側はスペーサ２を介して基台３の上に固定されている。基台３には矩形状の切欠け穴４が設けられていて、切欠け穴４の内側には板状のレール５が、発振部用容器１の長手方向に設けられている。６は発振部用容器１の下面側に固定されたスペーサであり、その水平方向断面は切欠け穴４の大きさより小さい寸法を有していて、切欠け穴４に挿入されている。スペーサ６には穴が設けられていて、そこにレール５を通すことによって、スペーサ６は発振部用容器１の長手方向に移動できるとともに、発振部用容器１を垂直方向に基台３に支持するようになっている。
【０００９】
１０は発振部用容器１から出射されたレーザビームであり、折返しミラー１１と１２により方向転回し、ビーム整形器の構成部品であるレンズ１３、ナイフエッジ１４及びレンズ１５を経由することによって外部に出射するようになっている。レンズ１３、ナイフエッジ１４及びレンズ１５は、同じくビーム整形器の構成部品である整形器用基板１６の上に搭載され、整形器用基板１６はスペーサ１７を介して発振部用容器１の四角柱の周囲にある四面のうちの上面側、すなわち基台３と対抗する位置に実装されている。
１８は発振部用容器１の上面側に固定されたスペーサであり、以下、詳細な説明は省略するが、整形器用基板１６は基台３と、またスペーサ１８はスペーサ６とそれぞれ同じ構造になっていて、スペーサ１８も発振部用容器１の長手方向に移動できるとともに、整形器用基板１６を垂直方向に発振部用容器１に支持するようになっている。
【００１０】
以上の構造において、発振部用容器１が熱膨張した場合、スペーサ６が発振部用容器１の長手方向に移動できるようになっているので、発振部用容器１の歪みの発生を防ぐとともに、スペーサ１８も発振部用容器１の長手方向に移動できるようになっているので、整形器用基板１６の歪みの発生を防止でき、レーザビームが光学系の光軸から外れることを防止できる。
従って、ビーム整形器を構成するための整形器用基板１６を発振部用容器１に取付けた場合にも、発振部用容器１の熱膨張の影響を防ぐことができ、レーザ発振器をコンパクトにすることができる。
【符号の説明】
【００１１】
１：発振部用容器  ２、６、１７、１８：スペーサ  ３：基台  ４：切欠け穴
５：レール  １０：レーザビーム  １１、１２：折返しミラー  １３、１５：レンズ
１４：ナイフエッジ  １６：整形器用基板
【図１】
2018073926.tif 000003
【図２】
2018073926.tif 000004
(57)【要約】【課題】従来のＵＳＢ機器を遠隔で切断および接続する技術はネットワークを経由しソフトウェアで制御していたためネットワークが不安定になるとシステムが意図しない動作を行う可能性があった。またパソコンのＯＳごとにそれぞれ個別にソフトウェアを用意する必要があり、さらにＯＳのバージョンが変更になるとソフトウェアが正常に動作しない可能性があった。本発明は、ハードウェア主体で構成され、遠隔でＵＳＢ装置を切断、および接続できるシステムを提供する。【解決手段】ハードウェアを主体に構成されたＵＳＢ切断器と手元に配置した操作ボックスをケーブルで接続し、遠隔でパソコンとＵＳＢ装置を切断する手段と接続する手段を設けたことを特徴とするＵＳＢ装置切断システム。【選択図】図１
2018073375.tif 000002
【特許請求の範囲】
【請求項１】
ハードウェアを主体に構成されたＵＳＢ切断器と手元に配置した操作ボックスをケーブルで接続し、遠隔でパソコンとＵＳＢ装置を切断する手段と接続する手段を設けたことを特徴とするＵＳＢ装置切断システムである。
【発明の詳細な説明】
【技術分野】
【０００１】  本発明は、遠隔でパソコンとＵＳＢ装置を切断および接続できるシステム、より詳しくはハードウェアを主体に構成されたＵＳＢ切断器と手元に配置した操作ボックスをケーブルで接続し、遠隔でパソコンとＵＳＢ装置を切断および接続できるシステムに関するものである。
【背景技術】
【０００２】  近年、パソコンの周辺機器はＵＳＢをインターフェースとした機器が普及してきている。パソコンのキーボードやマウスのように従来のＰＳ／２ではなくＵＳＢで接続する方式に変わってきている機器もある。ＵＳＢ機器の普及とともに、パソコンやＵＳＢ機器が操作者から離れた場所や手の届きづらい場所などに配置されている場合、パソコンとＵＳＢ機器の切断および接続を単純にＵＳＢケーブルの抜き差しで行うには手間がかかるため、遠隔で手軽に行いたいというニーズを満たす方法としてネットワークを経由し、ソフトウェアにてＵＳＢ装置とパソコンを切断、および接続をするシステムがあった（特許文献１）。
【先行技術文献】
【特許文献】
【０００３】
【特許文献１】  特開２０１１−１７０８３９号公報
【発明の概要】
【発明が解決しようとする課題】
【０００４】  そのため、特許文献１では次のような問題点があった。
（イ）  ネットワークが不安定になるとシステムが意図しない動作を行う可能性があるため、安定したネットワークが利用可能な環境でしかシステムを構築することができない。
（ロ）  基本的にはパソコンのＯＳ（Ｗｉｎｄｏｗｓ、ｉＯＳ、Ｌｉｎｕｘなど）ごとにそれぞれ個別にソフトウェアを用意する必要があった。また、ＯＳのバージョンが変更になるとソフトウェアが正常に動作しない可能性がある。
本発明は、以上の問題を解決するためのものである。
【課題を解決するための手段】
【０００５】  ハードウェアを主体に構成されたＵＳＢ切断器と手元に配置した操作ボックスをケーブルで接続し、遠隔でパソコンとＵＳＢ装置を切断する手段と接続する手段を設ける。
以上を特徴とするＵＳＢ装置切断システムである。
【発明の効果】
【０００６】  本発明は離れた場所や手の届きづらい場所に配置されたパソコンとＵＳＢ機器の切断および接続を行う機能は有したままで、従来の技術と比較し、ネットワークに全く依存しないため、ネットワークが構築されていない環境であっても安定してシステムを運用できるため、従来の技術のように安定したネットワークが提供されなければならないという問題を解決することができる。また、本発明は従来の技術ではなかったハードウェアを主体に構成されている仕様のため、従来の技術のようにＵＳＢ機器と切断、および接続されるパソコンのＯＳやバージョンが変更になると使用できない可能性があるという問題も解決することができる。
【図面の簡単な説明】
【０００７】
【図１】  本発明の構成図である。
【図２】  本発明の周辺機器との接続図である。
【図３】  本発明のＵＳＢ装置切断システムの回路図である
【発明を実施するための形態】
【０００８】  以下、本発明の実施の形態について説明する。
（イ）  ＵＳＢ装置切断器（１）は複数の入力用ＵＳＢ−Ａコネクタ（２）、ハブ（３）、出力用ＵＳＢ−Ｂコネクタ（４）、ハブ（３）と出力用ＵＳＢ−Ｂコネクタ（４）を切断と接続を切り替えるためのリレー（５）、操作ボックス（６）と接続するためのコネクタ（７）で構成される。
（ロ）  操作ボックス（６）はＵＳＢ装置切断器（１）のハブ（３）と出力用ＵＳＢ−Ｂコネクタ（４）の切断、接続を行うためのスイッチ（８）、ＵＳＢ装置切断器（１）と接続するためのコネクタ（９）で構成される。
（ハ）  ケーブル（１０）でＵＳＢ装置切断器（１）のコネクタ（７）と操作ボックス（６）のコネクタ（９）を接続する。
本発明は以上のような構成である。
【０００９】  本発明を使用するときには、操作ボックス（６）のスイッチ（８）をＯＮしてＵＳＢ装置切断器（１）のリレー（５）の接点を開き、ハブ（３）と出力用ＵＳＢ−Ｂコネクタ（４）を切断することにより、出力用ＵＳＢ−Ｂコネクタ（４）に接続したパソコン（１１）に入力用ＵＳＢ−Ａコネクタ（２）へ接続したデバイス（１２）を認識させない。
また、操作ボックス（６）のスイッチ（８）をＯＦＦしてＵＳＢ装置切断器（１）のリレー（５）の接点を閉じ、ハブ（３）と出力用ＵＳＢ−Ｂコネクタ（４）を接続することにより、出力用ＵＳＢ−Ｂコネクタ（４）に接続したパソコン（１１）に入力用ＵＳＢ−Ａコネクタ（２）へ接続されたデバイス（１２）を認識させる。
本発明は修正や変更を加えることで様々な形態に変更することができる。例としてコネクタ（７）とコネクタ（９）にＲＪ−４５、ＰＳ／２や他の様々なコネクタを選定、回路への電源供給の方法を出力用ＵＳＢ−Ｂコネクタ（４）やＡＣアダプタなどから供給する、操作ボックス（６）のスイッチ（８）を排除し、ＲＳ−２３２Ｃなどの通信によってリレー（５）を制御する、リレー（５）の代わりに半導体スイッチを使用する、ハブ（３）を省略するなど多種多様に仕様を変更することが可能だが、そうした修正や変更は本発明の特許請求の範囲に入るものである。
【符号の説明】
【００１０】  １  ＵＳＢ装置切断器
２  入力用ＵＳＢ−Ａコネクタ
３  ハブ
４  出力用ＵＳＢ−Ｂコネクタ
５  リレー
６  操作ボックス
７  コネクタ
８  スイッチ
９  コネクタ
１０  ケーブル
１１  パソコン
１２  デバイス
【図１】
2018073375.tif 000003
【図２】
2018073375.tif 000004
【図３】
2018073375.tif 000005
(57)【要約】【課題】  平面板上の中央部や任意の場所に穴を開け、長短のある三角形の刃部を直角に曲げ、一般使用の釘をその穴に挿入してトンボ釘として命名し、課題を提供する。【解決手段】  トンボ釘の中央の穴を基準として平面板上の三角形の両端部分に鋭利な刃状を設けて直角に折り曲げ、板材などに打ち込むために利用するトンボ釘としての特徴を活かすことを目的とした。【選択図】図１、図３、図５、図６、図１０、
2018151054.tif 000002
【特許請求の範囲】
【請求項１】
トンボ釘と命名された釘の平面板上の両先端に三角形の鋭利な刃状を設けて、直角に折り曲げ、トンボ釘として機能を発揮することを目的とした。
【請求項２】
請求項１より、トンボ釘の平面板上の幅を広げたり狭めたりして、釘穴の位置を任意に開けて、その用途に合わせた素材を自在に選んで一般使用の釘を打ちこむトンボ釘。
【請求項３】
請求項１より、直角に折り曲げた刃状の長さを任意に用いて、打ち着けたい素材に合わせて強度を固定させるトンボ釘。
【請求項４】
請求項１より、トンボ釘の用途に応じて、片や二股の刃状、一方には一枚刃にするなど、しかもトンボ釘の穴部を任意の位置になるよに自由な形状にして、その働きを目的とするトンボ釘。
【請求項５】
請求項１より、トンボ釘の平面板上の穴の部分には、あらかじめ一般使用の釘を装着させておき、釘穴に新たな釘を挿入することなく、そのまま素材に打ち込むことのできることを特徴とするトンボ釘。
【発明の詳細な説明】
【技術分野】
【０００１】  本発明は、トンボ釘に関するものである。
【背景技術】
【０００２】  一般に建築資材として使われる釘は、実に多様性を含む道具であると思われる。建設現場から日曜大工や簡単な修理まで利用され、学校では工作の時間にも用いられて、非常に利便性の多い接続用道具でもある。更に釘の種類も多種多様あり、種々の場面で使い分けし、その状態で特色を活かしており、その便利さには際限がない。【０００３】  しかしそれ程有用な釘でも欠陥がある。その一つに、釘を打つとき、頭部の円型部が非常に小さく打ちづらいことである。また扱う釘がほとんど一本ずつの使用のみで、同時に数本の釘を打つことも不可能である。更に材木や板材を接続させようとする場合、釘を打ちつける方法には相当の工夫が必要となる場合も出てくる。
【先行技術文献】
【０００４】  現在使用されるほとんどの種類の釘は、円型の芯を持つものの多様性は大きく用途は広いが、使用範囲は限定されており、他に妙案も浮かばない。打ちつけるには工夫のない形状である。従ってその用法には発展性も少なく、進規性もない。更に釘を打ち損じて誤って手指を打ってしまい、怪我をする場合も多く、非常な工夫を要する道具ともいえる。
【発明の概要】
【発明が解決しようとする課題】
【０００５】  本発明は、釘自体の欠陥や特性のない構造形態を、より有効に活用するために、下記のように活用範囲を広げて効果的な面だけを打ち出すことを目的として考えた。こうすることで作業等で円滑、効果的に活用できることを工夫するため、目的とする釘としての許容範囲も広がり、より広く利用できるトンボ釘と命名し、その特徴を持った道具として考え出されたものである。
【課題を解決するための手段】
【０００６】  本発明であるトンボ釘は、釘部の本体を打ちつけるためには、まず羽部の先端にある鉤爪の部分を、三角形の直角に曲げて羽状にする。その先端は鋭利な羽物として活用し、釘本体を直接に打ちつけることを目的として与えられた課題を解決しようと計画した。
【発明の効果】
【０００７】  本発明の効果は、以下に示す発明の効果を実施するための形態で、おおよその概念を理解することができる。このトンボ釘の発明及び出現によって、いわゆる一本釘のみでの木材等への接続等の方法だけではなく、多種の素材を併せ接続する働きを持ち、その用途や効果の範囲も大きく広がって作業を面白く、愉快にさせてくれる要素を表現することが可能となってその効果は大である。
【発明を実施するための形態】
【０００８】  本発明のトンボ釘の特徴は以下のようになっている。
（イ）  トンボ釘の両端の鉤爪の羽状部分を三角形の鋭利な羽状にして、直角に曲げる。（図３）
（ロ）  トンボ釘の平板の中央部に穴をあけて、一般に使用する釘をその挿しこんでトンボ釘として使用する。（図７）
（ハ）  トンボ釘の中央部と一般の釘を直接に接着させて固定し、釘の頭部に丸く盛り上った部位を設けて、しっかり打ちこむことも出来るようにする。（図６）
（ニ）  トンボ釘の羽部の一端を二股に分けて、一方の先端を一枚羽状にして、その両端を共に鋭利な羽物にして、より効果的なトンボ釘として使用する。（図５）
（ホ）  トンボ釘を、応用の向上を目指した釘にするために、中央部の穴の部分を平面板の左側や右側など自由な位置に変えることもできるようにした。（図２）（図４）
（ヘ）  トンボ釘の平面板の幅の大きさを広くしたり狭くしたり、あるいは両端の長さを自由な形状にして使い分ける用途も考えた。また、数本の釘を打ちこむ事も考慮した。（図８）
（ト）  直角に折りまげた鋭利な羽状を持つ三角形の鉤爪を長いものや短かいものにして、働きを区別した。（図９）
（チ）  トンボ釘の両端をそれぞれ二股に分離させ、先端に設けた、三角形の直角に折り曲げたトンボ釘として使用する。（図５）
以上、トンボ釘としての特徴や形態は説明したとおりである。
【図面の簡単な説明】
【図１】先端の三角形の部分を直角に折り曲げる
【図２】トンボ釘の穴を任意の場所に開ける
【図３】両端を直角に折り曲げたところ
【図４】任意の場所に開けたトンボ釘の穴
【図５】二股の刃状を持つトンボ釘
【図６】釘の平面板と釘の頭部とを接着させた場合のトンボ釘
【図７】中央の穴部に釘を挿入した場合のトンボ釘。矢印は挿入中の状態
【図８】長い刃状を持つトンボ釘。釘２本の場合
【図９】短かい刃状を持った場合のトンボ釘
【図１０】トンボ釘の横部側面図
【図面の符号】
１．穴（釘穴］    ２．刃    ３．折り曲げ部分    ４．挿入された釘
【図１】
2018151054.tif 000003
【図２】
2018151054.tif 000004
【図３】
2018151054.tif 000005
【図４】
2018151054.tif 000006
【図５】
2018151054.tif 000007
【図６】
2018151054.tif 000008
【図７】
2018151054.tif 000009
【図８】
2018151054.tif 000010
【図９】
2018151054.tif 000011
【図１０】
2018151054.tif 000012
(57)【要約】      （修正有）【課題】片手で演奏できる音域を広くするとともに、楽器本体の小型化、運搬性が格段に向上する円形配列鍵盤楽器を提供する。【解決手段】鍵を縦に７オクターブ配置したものを１２列を円形に配置にすることにより、片手の範囲で７オクターブ、８８音を演奏できる。【選択図】図−１
2018151606.tif 000002
【特許請求の範囲】
【請求項１】
従来の鍵盤楽器のように横に一列に配置するのではなく鍵盤の鍵を円形に配列し片手で７オクターブ、８８音を演奏することができる形式。
【発明の詳細な説明】
【技術分野】
【０００１】鍵盤楽器の鍵の配列を円形に配列することにより片手で演奏できる音域を広くするとともに楽器本体を小型化した。
【背景技術】
【０００２】従来鍵盤楽器は一列、二列等の配置のものしかなかったが円形に配置することにより、片手で７オクターブ、８８鍵の演奏が可能となるとともに小型化、運搬性が格段に向上する。
【先行技術文献】
【特許文献】
【０００３】この発明に関連する既存の先行技術は見当たらない。【特許文献１】
【０００４】
【非特許文献１】
【発明の概要】
【発明が解決しようとする課題】
【０００５】鍵盤楽器はピアノを代表として鍵盤の数が多いので楽器として大型化せざるを得ないため移動、運搬、運送が簡単に出来ない。現在では運搬用には鍵盤数を減らした電子ピアノで対応がなされている。
【課題を解決するための手段】
【０００６】１２音１２鍵を円形に配列し１オクターブごとに７回重ねて配列することによりピアノと同じ８８鍵、７オクターブを片手の範囲で演奏することが可能となった。
【発明の効果】
【０００７】今までにない楽器の構造になるので新しい音楽の表現も可能となる。小型化が可能となったので様々な音楽会場演奏がへの搬入も簡単にできる事から新しい音楽のジャンルが創造されていくことが期待される。
【図面の簡単な説明】
【０００８】
【図１】１  鍵について（図面では角丸の白、黒で表示）  （１）片手で７オクターブ８８鍵の演奏ができる。（２）・各音の鍵の配列は縦に７個を配列して７オクターブする。それを半音ごとに１２音を円形に配列する。・各音の配列は内側に移動するたびに１オクターブ下がり、外側に移動すれば１オクターブ上がる。また、その逆の配列も可。（３）・鍵のタッチ  強く押し込めば音量が上がる。  押し込んでいる間は音が継続する。（既存の電子ピアノ等の鍵のタッチを流用する）  （４）・鍵の音質は機材にセットされた様々な音色を選択できる。（５）・全体の盤面は横に二列配置を基本として右手、左手でそれぞれの盤面を演奏できる。（盤面を１面でも複数面でも可）  （６）・それぞれの盤面で音質を変えることができる。（例：左はベース音、右はピアノ、フルート等）  ２  鍵の配列について  （１）・一列に同じ音の１オクターブ違いで７個の鍵を並べ、それを円形に１２列配列する。それぞれの列の音の間隔は半音ずつ上がっていき１２音すべてを片手で演奏できる。片手で７オクターブの音域がカバーできる。（２）・音の表示は通常音楽で使用される音名を使用する。（ド、レ、ミ、・・・、Ａ，Ｂ，Ｃ・・・、１，２，３・・・等の表示をする。）  ・外枠のローマ数字の盤面はそれぞれに回転することができる。（諧調変調表示板）そのことにより諧調の上げ下げのスタートの音をローマ数字で表示する。（一般の音楽理論の手法にもとずく）キーの上げ下げをした場合の音階の位置が一目でわかるようにする表示板となる。（３）・和音（コード）の位置がビジュアルに直視的に理解できる。例えばメジャーコードであればベース音＋５列目＋４列目（Ｃのコード：Ｃ＋Ｅ＋Ｇ）  マイナーコードであればベース音＋４列目＋５列目（Ｃｍのコード：Ｃ＋Ｅ♭＋Ｇ）  （４）その他のＭ，ｍ，ａｕｇ，ｄｉｍ，Ｍ７，７，ｍ７，ｓｕｓ４，ａｄｄ９，♭５、ブルーノート等の和音（コード）も音楽理論通りに視覚的に理解ができて鍵の選択がしやすい。
【図２】［図２］１（１）・基本的に鍵盤面を２面横に配置するが、目的により１面でも多数面とすることも可。（２）・本体に（上面、側面）に鍵の音色選択ボタン、エフェクター、リズムボックスのリズムの選択ボタンを設置する。（３）・イヤホーンジャック、アウトプットジャック、エフェクタージャック、音量フットコントローラジャック等を側面、上面等に配置する。練習用の小型のスピーカーを備える。（４）・全体の形状は箱型にしたり、脚を付ける他、専用の設置台に置くことも出来る。（５）・盤面のサイズは成人男子、女性、子供等のサイズに合わせて作成できる。
【発明を実施するための形態】
【０００９】
【実施例１】
【００１０】例がない。
【産業上の利用可能性】
【００１１】あらゆる音楽演奏の場面で活用される。
【図−１】
2018151606.tif 000003
【図−２】
2018151606.tif 000004
(57)【要約】      （修正有）【課題】タッチパネルでの日本語入力を簡易的にできるキー配置を提供する。【解決手段】スマートフォン等のタブレット端末のタッチパネル上に、日本語の５０音文字の内「あかさたなはまや」の８文字を配列し、１文字の入力に対して、１タップでの入力を行えるようにする。また、よく使うキーを中央に配置することで操作性を改善する。【選択図】図１
2018061221.tif 000002
【特許請求の範囲】
【請求項１】
キーボードの配列を「あかさたなはまや」とする。８字を一列に並べるものとする。
【発明の詳細な説明】
【技術分野】
【０００１】  タッチパネルでの日本語入力を簡易的にできるようにする。
【背景技術】
【０００２】  タブレット端末が増加しているが、入力機器は外部でつけるものが多い。もともとタブレットの長所は、入力機器をタッチパネルとし、入力機器（キーボード  マウス）をなくすことで、最小化したことだ。しかし、キーボードは未だに外部に取り付けている。この発明によりタブレットの効果を最大限に生かすことが可能となる。
【先行技術文献】
【特許文献】
【０００３】
【特許文献１】不明
【非特許文献】
【０００４】
【非特許文献１】なし
【発明の概要】
【発明が解決しようとする課題】
【０００５】  タッチパネルのキーボードは現在も存在するが、物理キーボードのほうが打ちやすい。そのため、タブレットとは別に外部のキーボードが存在する。
【課題を解決するための手段】
【０００６】外部キーボードより、入力が早ければ外部キーボードを使うことはない。日本語の入力ではローマ字入力だと、１文字打つために２文字打つ比率が高い。もし、１文字打つのに１タップで済めば時間は半減される。
【発明の効果】
【０００７】  １文字でタップでき、なおかつ、５０音全てを表示してしまうと、どこに何があるのかわかりずらい。また、従来のキーボード配置では、タブレット端末が小型なために、ＰＣなどでキーボードを打つ際のホームポジションを取ることができず、それもまた、現在のタブレットキーボードの打ち難さにつながっている。【０００８】また、よく使うキー（母音）を中央に表示することで、操作性を改善している。
【図面の簡単な説明】
【０００９】
【図１】この発明の一実施形態を示す図である。
【発明を実施するための形態】
【００１０】この発明の一実施形態を、図に示す。
【図１】
2018061221.tif 000003